(57)【要約】【課題】既存の表現方法の情報価値を損なうことなく、色・図形・数値以外で且つ正確な値の表現を可能にする監視対象室内の環境状態監視システムを提供すること【解決手段】複数の構造物が設置されている監視対象室内を、前記複数の構造物の構造物設置位置情報、外観・形態情報に基づいて、設置されている複数の前記構造物を立体的に表示しつつ３Ｄ表示する第一の３Ｄ画像情報を表示画面上に表示する第一の画像表示手段と、前記第一の３Ｄ画像情報において立体的に表示されている前記複数の構造物それぞれについての特有の情報を第二の３Ｄ画像情報として、前記第一の３Ｄ画像情報における前記複数の構造物に重ねて前記表示画面上に表示する第二の画像表示手段とを備えている監視対象室内の環境状態監視システム。【選択図】図４
2020178277.tif 000002
【特許請求の範囲】
【請求項１】
複数の構造物が設置されている監視対象室内を、前記複数の構造物の構造物設置位置情報、外観・形態情報に基づいて、設置されている複数の前記構造物を立体的に表示しつつ３Ｄ表示する第一の３Ｄ画像情報を表示画面上に表示する第一の画像表示手段と、
前記第一の３Ｄ画像情報において立体的に表示されている前記複数の構造物それぞれについての特有の情報を第二の３Ｄ画像情報として、前記第一の３Ｄ画像情報における前記複数の構造物に重ねて前記表示画面上に表示する第二の画像表示手段と
を備えている監視対象室内の環境状態監視システム。
【請求項２】
複数の構造物が設置されている監視対象室内を、前記複数の構造物の構造物設置位置情報、外観・形態情報に基づいて、設置されている前記複数の構造物を立体的に表示しつつ３Ｄ表示する第一の３Ｄ画像情報を表示画面上に表示する第一の画像表示手段と、
前記監視対象室内の複数個所に設置されている複数の環境情報取得センサで取得した環境情報と、前記複数の環境情報取得センサそれぞれの設置位置に関する環境情報取得センサ設置位置情報とに基づいて、各環境情報取得センサの設置位置における前記環境情報取得センサが取得した環境情報を第三の３Ｄ画像情報として、前記第一の３Ｄ画像情報に重ねて前記表示画面上に表示する第三の画像表示手段と
を備えている監視対象室内の環境状態監視システム。
【請求項３】
複数の構造物が設置されている監視対象室内を、前記複数の構造物の構造物設置位置情報、外観・形態情報に基づいて、設置されている複数の前記構造物を立体的に表示しつつ３Ｄ表示する第一の３Ｄ画像情報を表示画面上に表示する第一の画像表示手段と、
前記第一の３Ｄ画像情報において立体的に表示されている前記複数の構造物それぞれについての特有の情報を第二の３Ｄ画像情報として、前記第一の３Ｄ画像情報における前記複数の構造物に重ねて前記表示画面上に表示する第二の画像表示手段と
前記監視対象室内の複数個所に設置されている複数の環境情報取得センサで取得した環境情報と、前記複数の環境情報取得センサそれぞれの設置位置に関する環境情報取得センサ設置位置情報とに基づいて、各環境情報取得センサの設置位置における前記環境情報取得センサが取得した環境情報を第三の３Ｄ画像情報として、前記第一の３Ｄ画像情報に重ねて前記表示画面上に表示する第三の画像表示手段と
を備えている監視対象室内の環境状態監視システム。
【請求項４】
前記第二の画像表示手段による、前記第二の３Ｄ画像情報の表示は、前記複数の構造物それぞれについての特有の情報に対応させて、前記第一の３Ｄ画像情報における前記複数の構造物それぞれの表示される大きさを変更して表示するものである
請求項１又は３記載の監視対象室内の環境状態監視システム。
【請求項５】
前記環境情報取得センサは、温度センサ、湿度センサ、電流・電圧センサから少なくとも一つ選択される
請求項２又は３記載の監視対象室内の環境状態監視システム。
【発明の詳細な説明】
【技術分野】
【０００１】
この発明は、データセンターやサーバルーム等、特定の施設内の環境状態を監視する環境状態監視システムに関する。
【背景技術】
【０００２】
データセンターやサーバルーム等において、温度、湿度等を監視するシステムとして、データセンターインフラ管理システム（DCIM（Date Center Infrastructure Management））が知られている。
【０００３】
例えば、特許文献１には、サーバルームのグラフィック平面図上にサーバ等のネットワーク機器やＩＴ機器等の電流、電流負荷、サーバルーム内の温度、湿度等の環境数値や、サーバ等のネットワーク機器やＩＴ機器等の状態（正常／異常、運転／停止、ＯＮ／ＯＦＦ等）を色や図形もしくは数値で表示する方法が提案されている。
【先行技術文献】
【特許文献】
【０００４】
【特許文献１】特開２０１０−２５７４３９号公報
【発明の概要】
【発明が解決しようとする課題】
【０００５】
サーバルーム内の上記環境数値等を監視する上で、グラフィカルに分かりやすい情報を提供するため、単一の画面で複数の情報を認識できる工夫が求められる。従来のデータセンターインフラ管理システムでは、サーバルームのフロアマップが平面で表示されるため、異なる複数種別の情報を単一の画面で同時に表示する場合、色・図形・数値だけでは限界があり、且つ数値以外は正確な値の表現になり難い。
【０００６】
本発明は、既存の表現方法の情報価値を損なうことなく、色・図形・数値以外で且つ正確な値の表現を可能にする監視対象室内の環境状態監視システムを提供することを目的とする。
【課題を解決するための手段】
【０００７】
［１］
複数の構造物が設置されている監視対象室内を、前記複数の構造物の構造物設置位置情報、外観・形態情報に基づいて、設置されている複数の前記構造物を立体的に表示しつつ３Ｄ表示する第一の３Ｄ画像情報を表示画面上に表示する第一の画像表示手段と、
前記第一の３Ｄ画像情報において立体的に表示されている前記複数の構造物それぞれについての特有の情報を第二の３Ｄ画像情報として、前記第一の３Ｄ画像情報における前記複数の構造物に重ねて前記表示画面上に表示する第二の画像表示手段と
を備えている監視対象室内の環境状態監視システム。
【０００８】
［２］
複数の構造物が設置されている監視対象室内を、前記複数の構造物の構造物設置位置情報、外観・形態情報に基づいて、設置されている前記複数の構造物を立体的に表示しつつ３Ｄ表示する第一の３Ｄ画像情報を表示画面上に表示する第一の画像表示手段と、
前記監視対象室内の複数個所に設置されている複数の環境情報取得センサで取得した環境情報と、前記複数の環境情報取得センサそれぞれの設置位置に関する環境情報取得センサ設置位置情報とに基づいて、各環境情報取得センサの設置位置における前記環境情報取得センサが取得した環境情報を第三の３Ｄ画像情報として、前記第一の３Ｄ画像情報に重ねて前記表示画面上に表示する第三の画像表示手段と
を備えている監視対象室内の環境状態監視システム。
【０００９】
［３］
複数の構造物が設置されている監視対象室内を、前記複数の構造物の構造物設置位置情報、外観・形態情報に基づいて、設置されている複数の前記構造物を立体的に表示しつつ３Ｄ表示する第一の３Ｄ画像情報を表示画面上に表示する第一の画像表示手段と、
前記第一の３Ｄ画像情報において立体的に表示されている前記複数の構造物それぞれについての特有の情報を第二の３Ｄ画像情報として、前記第一の３Ｄ画像情報における前記複数の構造物に重ねて前記表示画面上に表示する第二の画像表示手段と
前記監視対象室内の複数個所に設置されている複数の環境情報取得センサで取得した環境情報と、前記複数の環境情報取得センサそれぞれの設置位置に関する環境情報取得センサ設置位置情報とに基づいて、各環境情報取得センサの設置位置における前記環境情報取得センサが取得した環境情報を第三の３Ｄ画像情報として、前記第一の３Ｄ画像情報に重ねて前記表示画面上に表示する第三の画像表示手段と
を備えている監視対象室内の環境状態監視システム。
【発明の効果】
【００１０】
この発明によれば、既存の表現方法の情報価値を損なうことなく、色・図形・数値以外で且つ正確な値の表現を可能にする監視対象室内の環境状態監視システムを提供することができる。
【図面の簡単な説明】
【００１１】
【図１】本発明の監視対象室内の環境状態監視システムの構成の一例を表す図である。
【図２】本発明の監視対象室内の環境状態監視システムが備えるサーバ装置の構成の一例を表す図である。
【図３】本発明の監視対象室内の環境状態監視システムで採用している第一の３Ｄ画像情報の一例を表す図である。
【図４】監視対象室内に設置されている構造物についての特有の情報を、図３図示の第一の３Ｄ画像情報に重ねた状態の一例を表す図である。
【図５】（ａ）、（ｂ）ともに、監視対象室内に設置されている複数のセンサが取得した環境情報を、図３図示の第一の３Ｄ画像情報に重ねた状態の一例を表す図である。
【図６】監視対象室内に設置されている構造物についての特有の情報と、複数のセンサが取得した環境情報とを、図３図示の第一の３Ｄ画像情報に重ねた状態の一例を表す図である。
【図７】監視対象室内に設置されている構造物についての特有の情報と、複数のセンサが取得した環境情報とを、図３図示の第一の３Ｄ画像情報に重ねた状態の他の例を表す図である。
【発明を実施するための形態】
【００１２】
以下、添付図面を参照して、本発明の実施形態の一例を説明する。本発明は、監視対象となる施設内の所定の複数個所に設置されたセンサと、前記センサと通信可能に接続されているサーバ装置と、前記サーバ装置と通信ネットワークを介して通信可能に接続されているユーザ端末とを備え、前記施設内の温度、湿度、等の数値を前記センサで測定し、測定した前記数値に基づいて前記施設内の環境状態を監視する監視対象室内の環境状態監視システムである。
【００１３】
本実施形態では、監視対象となる施設を、DCIMとして運営・管理するデータセンターとし、データセンターの内部の所定の複数個所に設置された環境情報取得センサと、前記環境情報取得センサと通信可能に接続されているサーバ装置と、前記サーバ装置と通信ネットワークを介して通信可能に接続されているユーザ端末とを備え、データセンター内の温度、湿度、等の数値を前記環境情報取得センサで測定し、測定した前記数値に基づいて前記データセンター内の環境状態を監視する監視対象室内の環境状態監視システムの一例を説明する。
【００１４】
［システムの構成］
本実施形態の監視対象室内の環境状態監視システム１（以下、監視対象室内の環境状態監視システム１を「環境状態監視システム１」という）は、図１に示すように、データセンター２の内部に設置された複数のサーバラック３と、空調機器４と、分電盤５と、サーバ装置６と、ユーザ端末７とを備えている。
【００１５】
本実施形態のデータセンター２内の床部や壁部の所定箇所には、データセンター２内の環境に関する環境情報を取得する環境情報取得センサ１０が配備されている。本実施形態では、データセンター２内の環境に関する環境情報としてデータセンター２内の温度、湿度とし、これらを計測する環境情報取得センサ１０として温度センサ、湿度センサを採用している。
【００１６】
図１には、データセンター２内の床部や壁部それぞれに環境情報取得センサ１０が一つ設置されている例を示しているが複数設置してもよい。環境情報取得センサ１０は、図示していない測定ターミナルに接続され、所定の配線９を介してサーバ装置６と通信可能に接続されている。
【００１７】
本実施形態のサーバラック３は、図１に示すように、データセンター２の内部に複数設置されている。各サーバラック３には、前記DCIMを利用する複数のユーザ（事業者）が使用する一乃至複数のサーバ等のネットワーク機器やＩＴ機器が収容されている。図１には、各サーバラック３は同じ高さで示されているが、異なる高さの複数のサーバラック３が設置される場合もある。各サーバラック３の所定箇所には、サーバラック３の環境に関する環境情報を取得する環境情報取得センサ１０が配備されている。本実施形態では、サーバラック３の環境に関する環境情報として、サーバラック３又はその周辺の温度、湿度、前記サーバ等のネットワーク機器やＩＴ機器の電流、電圧、電力、電力量、等とし、これらを計測する環境情報取得センサ１０として温度センサ、湿度センサ、電流・電圧センサを採用している。
【００１８】
図１には各サーバラック３に環境情報取得センサ１０が一つ設置されている例を示しているが複数設置してもよい。環境情報取得センサ１０は、図示していない測定ターミナルに接続され、所定の配線９を介してサーバ装置６と通信可能に接続されている。
【００１９】
本実施形態の空調機器４は、図１に示すように、データセンター２の内部に一つ設置されている。空調機器４には、空調機器４の環境に関する環境情報を取得する環境情報取得センサ１０が配備されている。本実施形態では、空調機器４の環境に関する環境情報として、空調機器４又はその周辺の温度、湿度、空調機器４の電流、電圧、電力、電力量、等とし、これらを計測する環境情報取得センサ１０として温度センサ、湿度センサ、電流・電圧センサを採用している。
【００２０】
図１には空調機器４がデータセンター２の内部に一つ設置され、空調機器４に環境情報取得センサ１０が一つ配備されている例を示しているが、複数の空調機器４をデータセンター２の内部に設置し、各空調機器４に複数の環境情報取得センサ１０を配備してもよい。環境情報取得センサ１０は、図示していない測定ターミナルに接続され、所定の配線９を介してサーバ装置６と通信可能に接続されている。
【００２１】
分電盤５は、サーバラック３に電源を供給する装置である。本実施形態の分電盤５は、図１に示すように、データセンター２の内部に一つ設置されている。分電盤５には、分電盤５の環境に関する環境情報を取得する環境情報取得センサ１０が配備されている。本実施形態では、分電盤５の環境に関する環境情報として、分電盤５又はその周辺の温度、湿度、分電盤５の電流、電圧、電力、電力量、等とし、これらを計測する環境情報取得センサ１０として温度センサ、湿度センサ、電流・電圧センサを採用している。
【００２２】
図１には分電盤５がデータセンター２の内部に一つ設置され、分電盤５に環境情報取得センサ１０が一つ配備されている例を示しているが、複数の分電盤５をデータセンター２の内部に設置し、各分電盤５に複数の環境情報取得センサ１０を配備してもよい。環境情報取得センサ１０は、図示していない測定ターミナルに接続され、所定の配線９を介してサーバ装置６と通信可能に接続されている。
【００２３】
各環境情報取得センサ１０は、その設置位置において所定の日時にデータセンター２、サーバラック３、空調機器４及び分電盤５の温度、湿度、電流、電圧、電力、電力量、等を連続して測定する。
【００２４】
ユーザ端末７は、パーソナルコンピュータ、スマートフォン、タブレット端末、等のコンピュータであって、前記DCIMを利用する複数の前記ユーザ、前記DCIMを前記ユーザに提供するサービス提供者、前記ユーザから依頼を受けて当該ユーザが使用する前記サーバ等のネットワーク機器やＩＴ機器を管理する管理事業者、等が使用する端末である。ユーザ端末７は、インターネット通信網、無線通信規格で定められている無線通信網等の通信ネットワーク８を介してサーバ装置６と通信可能に接続されている。図示していないが、ユーザ端末７は、ＣＰＵ等により構成され各種データの処理、演算を行う演算処理部と、メモリ等の各種データを記憶する記憶部と、液晶ディスプレイ等の情報出力部と、タッチパネル等の情報入力部と、各種データの送受信を行う通信部と、を備えている。
【００２５】
サーバ装置６は、本実施形態の環境状態監視システム１によるDCIMを前記ユーザに提供する前記サービス提供者が設置するサーバ、等のコンピュータである。
【００２６】
本実施形態のサーバ装置６は、図２に示すように、情報送受信手段１１、制御手段１２、測定値取得手段１３、第一の３Ｄ画像情報作成手段１４、第一の画像表示手段１５、第二の画像表示手段１６、第三の画像表示手段１７、記憶手段１８を備えている。
【００２７】
情報送受信手段１１は、ユーザ端末７、環境情報取得センサ１０とそれぞれ情報の送受信を行う。
【００２８】
制御手段１２は、サーバ装置６が備える各処理手段が行う情報処理をＣＰＵ、ＲＡＭ等の演算処理部で制御する。
【００２９】
測定値取得手段１３は、環境情報取得センサ１０である温度センサ、湿度センサ、電流・電圧センサがその設置位置において所定の日時に測定したデータセンター２、サーバラック３、空調機器４及び分電盤５の温度、湿度、電流、電圧、電力、電力量、等といった数値を取得する。
【００３０】
第一の３Ｄ画像情報作成手段１４は、データセンター２内に設置されているサーバラック３、空調機器４、分電盤５といった複数の構造物を、前記複数の構造物の構造物設置位置情報、外観・形態情報に基づいて、データセンター２内で立体的に表す第一の３Ｄ画像情報を作成する処理を行う。
【００３１】
本実施形態では、例えば、図３に示すように、データセンター２内に設置されているサーバラック３ａ〜３ｈの構造物設置位置情報１９と、構造物外観・形態情報２０とに基づいて、サーバラック３ａ〜３ｈを、データセンター２内で立体的に表す第一の３Ｄ画像情報２１を作成する処理を行う。この他、図１に示す空調機器４や、分電盤５についても、これらの構造物設置位置情報１９と、構造物外観・形態情報２０とに基づいて、データセンター２内で立体的に表す第一の３Ｄ画像情報２１を作成する処理を行う。
【００３２】
第一の画像表示手段１５は、前記複数の構造物が設置されている監視対象室内を、前記複数の構造物の構造物設置位置情報１９、構造物外観・形態情報２０に基づいて、設置されている複数の前記構造物を立体的に表示しつつ３Ｄ表示する第一の３Ｄ画像情報２１を表示画面上に表示する処理を行う。
【００３３】
本実施形態では、例えば、第一の３Ｄ画像情報作成手段１４が作成した図３に示す第一の３Ｄ画像情報２１をユーザ端末７の画面上に画像表示させる。これにより、ユーザ端末７には、サーバラック３ａ〜３ｈがデータセンター２内で立体的に表示される。
【００３４】
第二の画像表示手段１６は、第一の３Ｄ画像情報２１において立体的に表示されている前記複数の構造物それぞれについての特有の情報を第二の３Ｄ画像情報として、第一の３Ｄ画像情報２１における前記複数の構造物に重ねて前記表示画面上に表示する処理を行う。
【００３５】
本実施形態では、例えば、データセンター２内に設置されているサーバラック３ａ〜３ｈそれぞれの特有の情報を、複数の電流・電圧センサが測定したサーバラック３ａ〜３ｈそれぞれに収容されている前記サーバ等のネットワーク機器やＩＴ機器の電流値としている。第二の画像表示手段１６は、各電流・電圧センサが取得した前記電流値に対応させて、図４に示すように、第一の３Ｄ画像情報２１におけるサーバラック３ａ〜３ｈの高さを変更してユーザ端末７の画面上に画像表示させる。これにより、前記ユーザは、各サーバラック内に収容されている前記サーバ等のネットワーク機器やＩＴ機器の電流値を、各サーバラックの高さで正確に把握することができる。
【００３６】
前記複数の構造物それぞれについての特有の情報については、上記を含め、環境情報取得センサ１０である温度センサ、湿度センサ、電流・電圧センサがその設置位置において所定の日時に測定したデータセンター２、サーバラック３、空調機器４及び分電盤５の温度、湿度、電流、電圧、電力、電力量、等といった数値から適宜選択することができる。
【００３７】
また、各構造物の高さで表示可能であれば、上記の他、予め取得しているサーバラック３ａ〜３ｈのラック荷重、前記サーバ等のネットワーク機器やＩＴ機器の占有率や、前記ユーザが利用しているサーバラックに関連付けられている前記ユーザ毎の電力契約料、回線契約料、契約年数、資本金、株価等、種々の情報を、前記複数の構造物それぞれについての特有の情報とすることができる。
【００３８】
さらに、これらの特有の情報について負の数値を表示可能にするため、当該特有の情報に係る前記構造物の高さを床部から下向きの深さで表示するように第二の画像表示手段１６が処理することもできる。
【００３９】
第三の画像表示手段１７は、前記監視対象室内の複数個所に設置されている複数の環境情報取得センサ１０で取得した環境情報２３と、複数の環境情報取得センサ１０それぞれの設置位置に関する環境情報取得センサ設置位置情報２２とに基づいて、各環境情報取得センサ１０の設置位置における環境情報取得センサ１０が取得した環境情報２３を第三の３Ｄ画像情報として、第一の３Ｄ画像情報２１に重ねて前記表示画面上に表示する処理を行う。
【００４０】
本実施形態では、例えば、データセンター２内の所定の箇所に設置されている複数の温度センサがそれぞれの設置位置において所定の日時に測定したサーバラック３ａ〜３ｈ又はその周辺の温度を環境情報２３とし、図５（ａ）に示すように、測定された各温度を、各温度センサの設置位置に対応させてユーザ端末７の画面上に温度分布として画像表示させる。図５（ｂ）では、データセンター２内の所定の箇所に設置されている複数の温度センサがそれぞれの設置位置において所定の日時に測定したサーバラック３ａ〜３ｈ又はその周辺の温度と、データセンター２内の所定の箇所に設置されている複数の湿度センサがそれぞれの設置位置において所定の日時に測定したデータセンター２内の湿度とを環境情報２３とし、測定された各温度、各湿度を、各温度センサ、各湿度センサの設置位置に対応させてユーザ端末７の画面上に温度分布、湿度分布として画像表示させている。図５（ｂ）では、データセンター２内の床部の色の濃い部分（図５（ｂ）の右側部分）が、色の薄い部分（図５（ｂ）の左側部分）よりもデータセンター２全体の湿度が低いことを示している。
【００４１】
環境情報２３については、上記を含め、環境情報取得センサ１０である温度センサ、湿度センサ、電流・電圧センサがその設置位置において所定の日時に測定したデータセンター２、サーバラック３、空調機器４及び分電盤５の温度、湿度、電流、電圧、電力、電力量、等といった数値から適宜選択することができる。
【００４２】
本実施形態では、第一の画像表示手段１５、第二の画像表示手段１６、第三の画像表示手段１７それぞれの処理を組み合わせた形態とすることができる。
【００４３】
例えば、図６では、データセンター２内に設置されているサーバラック３ａ〜３ｈそれぞれの特有の情報を、複数の電流・電圧センサが測定したサーバラック３ａ〜３ｈそれぞれに収容されている前記サーバ等のネットワーク機器やＩＴ機器の電流値とし、データセンター２内の所定の箇所に設置されている複数の湿度センサがそれぞれの設置位置において所定の日時に測定したデータセンター２内の湿度を環境情報２３としている。
【００４４】
第二の画像表示手段１６は、各電流・電圧センサが取得した前記電流値に対応させて、図６に示すように、第一の３Ｄ画像情報２１におけるサーバラック３ａ〜３ｈの高さを変更してユーザ端末７の画面上に画像表示させる。また、第三の画像表示手段１７は、測定された各湿度を、各湿度センサの設置位置に対応させてユーザ端末７の画面上に湿度分布として画像表示させている。
【００４５】
また、図７では、データセンター２内に設置されているサーバラック３ａ〜３ｈそれぞれの特有の情報を、複数の電流・電圧センサが測定したサーバラック３ａ〜３ｈそれぞれに収容されている前記サーバ等のネットワーク機器やＩＴ機器の電流値とし、データセンター２内の所定の箇所に設置されている複数の温度センサがそれぞれの設置位置において所定の日時に測定したサーバラック３ａ〜３ｈ又はその周辺の温度と、データセンター２内の所定の箇所に設置されている複数の湿度センサがそれぞれの設置位置において所定の日時に測定したデータセンター２内の湿度とを環境情報２３としている。
【００４６】
第二の画像表示手段１６は、各電流・電圧センサが取得した前記電流値に対応させて、図７に示すように、第一の３Ｄ画像情報２１におけるサーバラック３ａ〜３ｈの高さを変更してユーザ端末７の画面上に画像表示させる。また、第三の画像表示手段１７は、測定された各温度、各湿度を、各温度センサ、各湿度センサの設置位置に対応させてユーザ端末７の画面上に温度分布、湿度分布として画像表示させている。
【００４７】
前記ユーザは、各サーバラック内に収容されている前記サーバ等のネットワーク機器やＩＴ機器の電流値を、各サーバラックの高さで正確に把握することができるとともに、データセンター２内の湿度やサーバラック３ａ〜３ｈ又はその周辺の温度も単一の画面上で同時に把握することができる。
【００４８】
記憶手段１８には、上述した構造物設置位置情報１９、構造物外観・形態情報２０、第一の３Ｄ画像情報２１、環境情報取得センサ設置位置情報２２、環境情報２３が記憶されている。
【００４９】
このように、本実施形態の環境状態監視システム１は、監視対象となる室内の環境に関する情報等を、色・図形・数値だけでなく、監視対象室内に設置されている構造物の高さで表現したシステムとなっている。そのため、本実施形態の環境状態監視システム１を利用する前記ユーザは、単一の画面上でこれらの情報を同時に、かつ、正確に把握することができる。
【００５０】
以上、添付図面を参照して本発明の好ましい実施形態を説明したが、本発明はこれらの実施形態に限定されるものではなく、特許請求の範囲の記載から把握される技術的範囲において種々に変更可能である。
【符号の説明】
【００５１】
１  環境状態監視システム
２  データセンター
３（３ａ、・・・、３ｈ）  サーバラック
４  空調機器
５  分電盤
６  サーバ装置
７  ユーザ端末
８  通信ネットワーク
９  配線
１０  環境情報取得センサ
１１  情報送受信手段
１２  制御手段
１３  測定値取得手段
１４  第一の３Ｄ画像情報作成手段
１５  第一の画像表示手段
１６  第二の画像表示手段
１７  第三の画像表示手段
１８  記憶手段
１９  構造物設置位置情報
２０  構造物外観・形態情報
２１  第一の３Ｄ画像情報
２２  環境情報取得センサ設置位置情報
２３  環境情報
【図１】
2020178277.tif 000003
【図２】
2020178277.tif 000004
【図３】
2020178277.tif 000005
【図４】
2020178277.tif 000006
【図５】
2020178277.tif 000007
【図６】
2020178277.tif 000008
【図７】
2020178277.tif 000009